(57)【要約】  【課題】  鞘管や止水栓、さらには、水導出管、湯導出管が直接見えない洗面台を提供することを目的とする。  【解決手段】  上流側から、供給管２６と、流量調整機構２７と、洗面台本体２３，２４に設けた水栓２５に連通する導出管２８とをこの順序で設け、少なくとも前記供給管２６と流量調整機構２７とを被覆するパイプ３６を設け、更に、前記パイプ３６は、前記流量調整機構２７の設置位置に対応する位置に前記流量調整機構２７を外部から操作可能な操作窓４０を有する一方、この操作窓４０を開閉する開閉部材４１を設けてある。  【選択図】  図４
2005103132.tif 000002
【特許請求の範囲】
【請求項１】
上流側から、供給管と、流量調整機構と、洗面台本体に設けた水栓に連通する導出管とをこの順序で設け、少なくとも前記供給管と流量調整機構とを被覆するパイプを設け、更に、前記パイプは、前記流量調整機構の設置位置に対応する位置に前記流量調整機構を外部から操作可能な操作窓を有する一方、この操作窓を開閉する開閉部材を設けてあることを特徴とする洗面台。
【請求項２】
前記操作窓の直下において、前記パイプにビス挿通孔を設け、前記流量調整機構に雌ねじ部を設け、前記ビス挿通孔に挿通されて前記雌ねじ部に螺合するビスを設ける一方、前記開閉部材は、前記パイプの外周面を上下に摺動可能で、閉時において前記ビスの頭部で下方への移動が阻止される筒体である請求項１に記載の洗面台。
【請求項３】
前記流量調整機構の上流端および下流端にそれぞれ前記供給管および導出管を接続する一方、前記開閉部材は、前記操作窓を開閉するヒンジ付きの開閉扉である請求項１に記載の洗面台。
【請求項４】
前記流量調整機構は、止水栓あるいは止水機能を持たない流量調整継手である請求項１ないし請求項３のいずれかに記載の洗面台。
【請求項５】
床付きタイプである請求項１ないし請求項４のいずれかに記載の洗面台。
【発明の詳細な説明】
【技術分野】
【０００１】
この発明は、洗面台に関するものである。
【背景技術】
【０００２】
例えば図９に示すような給水と給湯の配管工事に際して、給水主管１と、給湯設備２からの給湯主管３とを屋内Ｒに引き込んで、給水主管１および給湯主管３を給水用の配管用ヘッダー４および給湯用の配管用ヘッダー５にそれぞれ接続し、これらヘッダー４および５と、床付きタイプの洗面台６に設置されるシングルレバー式の湯水混合栓７の上流に位置する止水栓８および９とをそれぞれ接続する水供給管１０および湯供給管１１として、架橋ポリエチレンまたは架橋ポリブデンなどの樹脂パイプ１２を蛇腹状の鞘管１３に挿通して成るものがある。この給水・給湯配管システムでは、鞘管１３はそのままにして樹脂パイプ１２の両端の接続を解除するだけで図１０に示すように鞘管１３内から樹脂パイプ１２を取り出し、新しい樹脂パイプに交換できる利便性がある。なお、１４は、可撓性の水導出管で、湯水混合栓７および止水栓８を接続する。また、１５は、可撓性の湯導出管で、湯水混合栓７および止水栓９を接続する。２０は、栓棒１９を介して止水栓８（流量調整機構の一例）に設けられた流量調整用ハンドルである。    
【特許文献１】特開２００１−１５９１６３号公報
【発明の開示】
【発明が解決しようとする課題】
【０００３】
ところで、前記床付きタイプの洗面台６の下部にある収容室の開き６ａを開くと鞘管１３や止水栓８，９、さらには、水導出管１４、湯導出管１５が見えるが、最近では、椅子に座りながら使用できる空間を下部に有する、前記収容室のない壁付きタイプの洗面台がある。この壁付きタイプの洗面台では、前記空間に止水栓と、洗面台本体に設けた水栓に連通する水導出管および湯導出管とが使用者に邪魔にならない程度に位置しているが、これらは遠くからでは丸見えである。ましてや、前記床付きタイプの洗面台６において前記壁付きタイプのものと同じように前記収容室６ａをなくした場合には、前記壁付きタイプのもの以上に鞘管や止水栓、さらには、水導出管、湯導出管が丸見えで、見栄えが悪い。
【０００４】
この発明は、鞘管や止水栓、さらには、水導出管、湯導出管が直接見えない洗面台を提供することを目的とする。
【課題を解決するための手段】
【０００５】
上記目的を達成するために、この発明の洗面台は、上流側から、供給管と、流量調整機構と、洗面台本体に設けた水栓に連通する導出管とをこの順序で設け、少なくとも前記供給管と流量調整機構とを被覆するパイプを設け、更に、前記パイプは、前記流量調整機構の設置位置に対応する位置に前記流量調整機構を外部から操作可能な操作窓を有する一方、この操作窓を開閉する開閉部材を設けてあることを特徴とする。
【発明の効果】
【０００６】
この発明では、上流側から、供給管と、流量調整機構と、洗面台本体に設けた水栓に連通する導出管とをこの順序で設けた洗面台において、少なくとも前記供給管と流量調整機構とを被覆するパイプを設け、このパイプにおいて、前記流量調整機構の設置位置に対応する位置に、前記流量調整機構を外部から操作可能な操作窓を設け、この操作窓を開閉する開閉部材を設けたので、流量調整が必要なときは、前記開閉部材を操作して操作窓を開き、この操作窓を介して外部から流量調整機構を操作して洗面台本体に設けた前記水栓の吐出量を調整できる。そして、流量調整が終了した後は、操作窓が開閉部材によって閉じられた状態で、前記パイプが少なくとも前記供給管と流量調整機構を被覆していることから、洗面台の下部には、当該下部にある排出トラップ以外に前記開閉部材の付いた前記パイプが見えるだけで、前記供給管と流量調整機構が丸見えすることはなく、見栄えが良くなる。
【発明を実施するための最良の形態】
【０００７】
以下、この発明の実施の形態について説明する。なお、この発明はそれによって限定されるものではない。
【０００８】
図１〜図４は、湯水混合水栓への配管接続部を備えたこの発明の第１の実施形態を示す。まず、図１、図２において、２１は、床付きタイプの洗面台で、床面Ｆからの適宜高さ位置に鏡２２が設置された壁面Ｗの前面に設けられている。洗面台２１は、鏡２２よりも下方で、壁面Ｗの適宜高さ位置に設けた板状の取付台２３と、この取付台２３の手前側中央に取り付けられた洗面部２４と、取付台２３の洗面部２４に望中央位置に設けたシングルレバー式の湯水混合水栓２５への配管接続部とを有する。そして、取付台２３と洗面部２４とから洗面台本体が構成される。水流路を形成する前記配管接続部の水側は、上流側から、水供給管２６と、水用止水栓（流量調整機構の一例）２７と、取付台２３に設けた前記湯水混合水栓２５に連通する可撓性の水導出管２８とがこの順序で設けられている。また、湯流路を形成する前記配管接続部の湯側は、上流側から、湯供給管２６’と、湯用止水栓（流量調整機構の一例）２７’と、取付台２３に設けた前記湯水混合水栓２５に連通する可撓性の湯導出管２８’とがこの順序で設けられている。更に、前記水供給管２６は、架橋ポリエチレンまたは架橋ポリブデンなどの樹脂パイプ２９を蛇腹状の鞘管３０に挿通してなり、また、前記湯供給管２６’も、架橋ポリエチレンまたは架橋ポリブデンなどの樹脂パイプ２９’を蛇腹状の鞘管３０’に挿通してｕる。また、前記水導出管２８は、上流端が水用止水栓２７の出口２７ａに接続される上流側水導出管部２８ａと、下流端が湯水混合水栓２５の水入口２５ａに接続される下流側水導出管部２８ｂとよりなり、前記水導出管部２８ａ，２８ｂ同士はクリックファスナー等の簡易着脱機能を有する部材３０で接続されている。また、前記湯導出管２８’は、上流端が湯用止水栓２７’の出口２７ａ’に接続される上流側湯導出管部２８ａ’と、下流端が湯水混合水栓２５の湯入口２５ａ’に接続される下流側湯導出管部２８ｂ’とよりなり、前記湯導出管部２８ａ’，２８ｂ’同士もクリックファスナー等の簡易着脱機能を有する部材３０で接続されている。なお、前記樹脂パイプ２９は、例えば給水用の配管用ヘッダー（図示せず）と水用止水栓２７の入口２７ｂを接続する。前記樹脂パイプ２９’は、例えば給湯用の配管用ヘッダー（図示せず）と湯用止水栓２７’の入口２７ｂ’を接続する。３２は、床直下の土台３５に固定設置されたスタンド３３付きの支持部材で、給水用および給湯用の配管用ヘッダーに至る水供給管２６および湯供給管２６’それぞれを屈曲させた状態でサポートする機能を有する。以上のことから明らかなように、水流路を形成する前記配管接続部の構成と、湯流路を形成する前記配管接続部の構成とは同一であるので、以下の説明は、水流路を形成する前記配管接続部について行うことにする。
【０００９】
以下、この発明の特徴的構成について説明する。
【００１０】
図１〜図４において、３６は、水供給管２６の床面Ｆ上に突出している部分と、水用止水栓２７と、水導出管２８のうち上流側水導出管部２８ａの大半とを被覆するパイプである。このパイプ３６は、例えば樹脂製であり、表面がメッキ処理されている。また、湯水混合水栓２５の水栓本体をカバーする樹脂製の上下カバー２５ｅ，２５ｆ、樹脂製のシングルレバー２５ｇ、樹脂製の吐水管２５ｈの表面がメッキ処理されているが、このメッキと同色のメッキが前記パイプ３６に施されている。そして、前記パイプ３６は、上流側水導出管部２８ａと下流側水導出管部２８ｂが簡易着脱機能を有する部材３０で接続される前に、上流側水導出管部２８ａの上端側から、上流側水導出管部２８ａ、水用止水栓２７および水供給管２６を覆うよう前記パイプ３６の下端が下方の床面Ｆに至るまで移動される。その後、上流側水導出管部２８ａと下流側水導出管部２８ｂが簡易着脱機能を有する部材３０で接続されるとともに、これら接続部分が洗面部２４の背後で取付台２３の下方の空間Ｓに位置するよう図１に示すように調整される。３７は、パイプ３６の下端に設けた固定用の外向きフランジで、ビス孔３７ａが形成されており、前記パイプ３６の下端が下方の床面Ｆに当接したときにビス３８をビス孔３７ａに締付けることにより、パイプ３６が、内部に上流側水導出管部２８ａ、水用止水栓２７および水供給管２６を収容した状態で、床面Ｆ上に立設されうる。３９は、フランジ３７を覆う座金である。
【００１１】
また、前記パイプ３６は、前記水用止水栓２７の設置位置に対応する位置の周面に、水用止水栓２７を外部から操作可能な操作窓４０を有する。また、この操作窓４０を開閉する開閉部材４１を設けてある。更に、前記操作窓４０の直下において、前記パイプ３６にビス挿通孔４２を設け、水用止水栓２７の周面に雌ねじ部４３を設け、前記ビス挿通孔４２に挿通されて前記雌ねじ部４３に螺合するビス４４を設けてある。また、前記開閉部材４１は、前記パイプ３６の外周面を両矢印Ａで示す上下の方向に摺動可能で、操作窓４０が閉じられる閉時において前記ビス４４の頭部４４ａで下方への移動が阻止される筒体で構成されている。４６は、水用止水栓２７の、止水を兼ねた流量調整用の操作部材であり、操作窓４０に位置している。４７は、洗面部２４の排水部分４８から床Ｆ下に位置する排水配管（図示せず）までの間に設けた排水トラップである。４８は、パイプ３６の上端を覆うカバーである。
【００１２】
而して、流量調整が必要なときは、前記開閉部材（筒体）４１を人力で上方向に操作して操作窓４０を開き、前記開閉部材（筒体）４１を保持しながら、この操作窓４０を介して外部から操作部材４６を操作して取付台２３に設けた前記水栓２５の吐出量を調整できる。そして、流量調整が終了した後、前記開閉部材（筒体）４１から使用者の手を放すと前記開閉部材（筒体）４１はビス４４の頭部４４ａに当たるまで自重で落下する。そして、操作窓４０が開閉部材（筒体）４１によって閉じられた状態で、前記パイプ３６が水供給管２６の床面Ｆ上に突出している部分と、水用止水栓２７と、水導出管２８のうち上流側水導出管部２８ａの大半とを被覆する。そのため、洗面部２４の下部には、当該下部にある排出トラップ４７以外に前記開閉部材（筒体）４１の付いた前記パイプ３６が見えるだけである。
なお、図１において、３６’は、湯供給管２６’の床面Ｆ上に突出している部分と、湯用止水栓２７’と、湯導出管２８’のうち上流側湯導出管部２８ａ’の大半とを被覆するパイプである。また、４１’は、前記操作窓４０を開閉する開閉部材（筒体）である。
【００１３】
図５は、水用止水栓２７の上流端および下流端にそれぞれ水供給管２６および水導出管２８を接続する一方、開閉部材４１’を、操作窓４０を開閉するヒンジ付きの開閉扉としたこの発明の第２の実施形態を示す。なお、図５において、図１〜図４に示す符号と同一のものは同一または相当物である。前記開閉扉４１’は、両矢印Ｂで示す方向に回動可能である。
【００１４】
図６、図７は、止水栓２７’として、止水栓本体５０と、この止水栓本体５０に回動自在に設けた栓棒５１、この栓棒５１に固着される弁体５２と、止水栓本体５０に形成された弁座（シート部）５３とで構成されたものを用いたこの発明の第３の実施形態を示す。なお、図６、図７において、図１〜図５に示す符号と同一のものは同一または相当物である。
【００１５】
図６、図７において、栓棒５１は、水用止水栓２７’の、止水を兼ねた流量調整用の操作部材であり、栓棒５１を工具で回動させるための溝５１ｃを一端に有する。そして、この溝５１ｃが操作窓４０に位置するよう、止水栓２７’がパイプ３６内に設置されている。この止水栓２７’は、工具を用いて栓棒５１を回動させて弁体５２が弁座５３に当接したときは止水する一方、工具を用いて栓棒５１を回動させて弁体５２が弁座５３から離間したときは吐水するとともに、吐水時には、弁体５２と弁座５３の離間距離に応じた流量調整ができる。この止水・吐水および流量調整は、栓棒５１の外周面に設けた雄ねじ５６と止水栓本体５０の内周面に設けた雌ねじ５７の螺合で栓棒５１が止水栓本５０に対して回動することにより行える。
【００１６】
上記各実施形態では、止水機能を持つ流量調整機構（止水栓）２７，２７’を用いたものを示した。
【００１７】
図８は、流量調整機構として、止水機能を持たない流量調整継手を用いたこの発明の第４の実施形態を示す。なお、図８において、図１〜図７に示す符号と同一のものは同一または相当物である。
【００１８】
図８において、９０は、止水機能を持たない流量調整機構としての流量調整継手である。この流量調整継手９０は、流量調整用のスピンドル９１を有する。
【００１９】
なお、この発明は、単水栓の場合にも適用できるとともに、壁付きタイプのものにも適用できる。
【図面の簡単な説明】
【００２０】
【図１】この発明の第１の実施形態を示す斜視図である。
【図２】上記実施形態を示す要部構成説明図である。
【図３】上記実施形態を示す要部分解斜視図である。
【図４】上記実施形態における開閉動作を示す斜視図である。
【図５】この発明の第２の実施形態における開閉動作を示す斜視図である。
【図６】この発明の第３の実施形態における開閉動作を示す斜視図である。
【図７】上記第３の実施形態で用いた流量調整機構を示す構成説明図である。
【図８】この発明の第４の実施形態で用いる流量調整機構を示す構成説明図である。
【図９】従来の給水・給湯配管システムを示す斜視図である。
【図１０】従来の給水・給湯配管システムを示す要部構成説明図である。
【符号の説明】
【００２１】
２３，２４  洗面台本体  
２５        水栓
２６        供給管
２７        流量調整機構
２８        導出管
３６        パイプ
４０        操作窓
４１        開閉部材
【図１】
2005103132.tif 000003
【図２】
2005103132.tif 000004
【図３】
2005103132.tif 000005
【図４】
2005103132.tif 000006
【図５】
2005103132.tif 000007
【図６】
2005103132.tif 000008
【図７】
2005103132.tif 000009
【図８】
2005103132.tif 000010
【図９】
2005103132.tif 000011
【図１０】
2005103132.tif 000012